(57)【要約】【課題】出力処理の対象となる出力画像を当該出力処理の前にプレビュー表示する際に、出力画像に施される画像処理内容や上記出力処理後の出力画像の画質を利用者に誤解させないようにする。【解決手段】表示制御装置１１０は、出力処理の対象となる出力画像を当該出力処理の前にプレビュー表示する画像表示装置１０４を制御するものである。そして、表示制御装置１１０は、プレビュー表示される出力画像からでは利用者が認識できない画像処理を特定した特定情報を保存する記憶部１１１を参照することにより、上記出力画像に対して施される画像処理のなかから上記特定情報にて特定されている画像処理を選択する。さらに、表示制御装置１１０は、当該選択した画像処理の内容を示した設定確認画像を画像表示装置１０４に表示する。【選択図】図１２
2010056802.tif 000002
【特許請求の範囲】
【請求項１】
出力処理の対象となる出力画像を当該出力処理の前にプレビュー表示する表示装置を制御する表示制御装置において、
プレビュー表示される出力画像からでは利用者が認識できない画像処理を特定した特定情報を保存する記憶部を参照することにより、上記出力画像に対して施される画像処理のなかから上記特定情報にて特定されている画像処理を選択し、当該選択した画像処理の内容を利用者に通知する通知部を有することを特徴とする表示制御装置。
【請求項２】
上記通知部は、上記選択した画像処理の内容を示した処理内容画像を上記表示装置に表示する画像表示制御部であることを特徴とする請求項１に記載の表示制御装置。
【請求項３】
上記画像表示制御部は、
上記出力画像と上記処理内容画像の表示コマンドを入力するための入力ボタンとを上記表示装置にともに表示し、
上記入力ボタンによって上記表示コマンドが入力されたことを検出すると、上記処理内容画像を上記表示装置に表示することを特徴とする請求項２に記載の表示制御装置。
【請求項４】
上記画像表示制御部は、上記出力画像と上記処理内容画像とをともに表示することを特徴とする請求項２に記載の表示制御装置。
【請求項５】
上記出力処理は、上記出力画像を印刷する印刷処理、上記出力画像をファクシミリにて送信するファクシミリ送信処理、上記出力画像を電子メールに添付して送信するメール送信処理、上記出力画像を所定のファイル形式の画像ファイルに変換して保存するファイリング処理のうちの少なくともいずれかの処理であることを特徴とする請求項１から４のいずれか１項に記載の表示制御装置。
【請求項６】
上記特定情報にて特定されている画像処理は、上記出力画像の濃度を色成分毎に調整するカラーバランス調整処理、上記出力画像に対して施されるシャープネス処理またはぼかし処理であるシャープネス調整処理、上記出力画像を所定のファイル形式の画像ファイルに変換するフォーマット処理、上記出力画像を圧縮する圧縮処理、上記出力画像の解像度を変換する解像度変換処理、原稿種別判定結果に応じて上記出力画像に対して施される画像処理内容を切り換える原稿種別処理のうちの少なくともいずれかの処理であることを特徴とする請求項１から５のいずれか１項に記載の表示制御装置。
【請求項７】
請求項１から６のいずれか１項に記載の表示制御装置と、上記表示装置と、上記出力画像に対して上記画像処理を施す画像処理装置とを有することを特徴とする画像形成装置。
【請求項８】
出力処理の対象となる出力画像を当該出力処理の前にプレビュー表示する表示装置の制御方法において、
プレビュー表示される出力画像からでは利用者が認識できない画像処理を特定した特定情報を保存する記憶部を参照することにより、上記出力画像に対して施される画像処理のなかから上記特定情報にて特定されている画像処理を選択し、当該選択した画像処理の内容を利用者に通知する工程を含むことを特徴とする表示装置の制御方法。
【請求項９】
請求項８に記載の表示装置の制御方法をコンピュータに実行させるための制御プログラムであって、コンピュータに上記工程を実行させる制御プログラム。
【請求項１０】
請求項９に記載の制御プログラムを記録したコンピュータ読み取り可能な記録媒体。
【発明の詳細な説明】
【技術分野】
【０００１】
本発明は、画像が出力（印刷）される前に当該画像をプレビュー表示する表示装置を制御する表示制御装置、画像形成装置、表示装置の制御方法、制御プログラム、記録媒体に関するものである。
【背景技術】
【０００２】
複写機や複合機などの画像形成装置は、印刷対象の画像の画像データに対して、原稿種別や設定条件（印刷濃度，変倍処理の倍率，片面印刷または両面印刷，余白サイズ等）に応じた画像処理を施す。さらに、画像形成装置には、上記印刷対象の画像を印刷前に表示装置にプレビュー表示するものも存在する。なお、プレビュー表示の形態には、印刷対象の画像を１頁ずつ表示する形態や、複数頁からなる印刷対象の画像を一括して表示する形態がある。そして、プレビュー表示を実行する複写機や複合機に関する先行文献としては下記特許文献１が存在する。
【０００３】
特許文献１は、プレビュー表示を行う際、画像データにエッジ強調を施さないで表示画像を生成する技術を開示するものである。また、特許文献１の画像処理装置には、トリミング、ペイント、変倍、カラーバランスの変更や色変換等の様々な処理を行う画像編集回路と、画像編集回路にて処理された画像を印刷（出力）するプリンタと、当該画像編集回路にて処理された画像を印刷前にプレビュー表示する画像表示装置とが設けられている。そして、利用者は、プレビュー表示される表示画像によって、印刷対象の画像に施される画像処理の内容や印刷後の画像の画質を推測し、各種パラメータやモードの設定（調整）を行う。
【特許文献１】特開平９−１３５３１６号公報（公開日：１９９７年５月２０日）
【発明の開示】
【発明が解決しようとする課題】
【０００４】
しかし、複写機や複合機などの画像形成装置において、印刷対象の画像に施される画像処理のうち、プレビュー表示される画像からでは利用者が認識することのできない処理内容がある。なお、この処理内容としては、プレビュー表示される画像には反映できない処理内容や、プレビュー表示される画像に反映可能ではあるが処理の効果を利用者が判別できない処理内容（特許文献１に記載されているシャープネスなど）がある。
【０００５】
それゆえ、印刷（出力）された後の画像とプレビュー表示される画像とでは見た目の画質等が異なることがある。よって、プレビュー表示される画像によって、印刷対象の画像に施される画像処理内容や印刷後（出力後）の画像の画質を利用者が推測する場合、当該画像処理内容や画質を誤解してしまう虞があるという問題が生じていた。
【０００６】
本発明は、上記問題を解決するためになされたものであり、出力処理の対象となる出力画像を当該出力処理の前にプレビュー表示する表示装置を制御する表示制御装置において、出力画像に施される画像処理内容や上記出力処理後の出力画像の画質を利用者に誤解させないようにすることを目的とする。
【課題を解決するための手段】
【０００７】
本発明は、上記目的を達成するために、出力処理の対象となる出力画像を当該出力処理の前にプレビュー表示する表示装置を制御する表示制御装置において、プレビュー表示される出力画像からでは利用者が認識できない画像処理を特定した特定情報を保存する記憶部を参照することにより、上記出力画像に対して施される画像処理のなかから上記特定情報にて特定されている画像処理を選択し、当該選択した画像処理の内容を利用者に通知する通知部を有することを特徴とする。
【０００８】
本発明の構成によれば、上記プレビュー表示される出力画像からでは利用者が認識することのできない画像処理の内容を上記利用者に通知する通知部が備えられているため、出力画像に施される画像処理の内容や上記出力処理後の出力画像の画質を利用者に誤解させないようにできるという効果を奏する。
【０００９】
また、本発明の表示制御装置において、上記通知部は、上記選択した画像処理の内容を示した処理内容画像を上記表示装置に表示する画像表示制御部であってもよい。さらに、上記画像表示制御部は、上記出力画像と上記処理内容画像の表示コマンドを入力するための入力ボタンとを上記表示装置にともに表示し、上記入力ボタンによって上記表示コマンドが入力されたことを検出すると、上記処理内容画像を上記表示装置に表示するものであってもよい。これにより、利用者の要求に応じて上記処理内容画像の表示の有無を切り換えることができ、上記処理内容画像の表示を不要と考える利用者にも適応可能な装置とすることができる。
【００１０】
また、本発明の表示制御装置において、上記画像表示制御部は、上記出力画像と上記処理内容画像とをともに表示する構成であってもよい。この構成によれば、利用者からすれば、プレビュー表示される出力画像と上記処理内容画像とをともに視認できるため、出力処理後の画像の画質の推測を容易化できるという効果を奏する。
【００１１】
さらに、本発明の表示制御装置において、上記出力処理は、上記出力画像を印刷する印刷処理、上記出力画像をファクシミリにて送信するファクシミリ送信処理、上記出力画像を電子メールに添付して送信するメール送信処理、上記出力画像を所定のファイル形式の画像ファイルに変換して保存するファイリング処理のうちの少なくともいずれかの処理であることが好ましい。また、本発明の表示制御装置において、上記特定情報にて特定されている画像処理は、上記出力画像の濃度を色成分毎に調整するカラーバランス調整処理、上記出力画像に対して施されるシャープネス処理またはぼかし処理であるシャープネス調整処理、上記出力画像を所定のファイル形式の画像ファイルに変換するフォーマット処理、上記出力画像を圧縮する圧縮処理、上記出力画像の解像度を変換する解像度変換処理、原稿種別判定結果に応じて上記出力画像に対して施される画像処理内容を切り換える原稿種別処理のうちの少なくともいずれかの処理であることが好ましい。
【００１２】
また、本発明の画像形成装置は、上記表示制御装置と、上記表示装置と、上記出力画像に対して上記画像処理を施す画像処理装置とを有することを特徴とする。さらに、本発明は、出力処理の対象となる出力画像を当該出力処理の前にプレビュー表示する表示装置の制御方法において、プレビュー表示される出力画像からでは利用者が認識できない画像処理を特定した特定情報を保存する記憶部を参照することにより、上記出力画像に対して施される画像処理のなかから上記特定情報にて特定されている画像処理を選択し、当該選択した画像処理の内容を利用者に通知する工程を含むことを特徴とする。
【００１３】
なお、本発明の表示装置の制御方法をコンピュータによって実現してもよく、この場合には、コンピュータに上記工程を実行させる制御プログラム、該制御プログラムを記録したコンピュータ読み取り可能な記録媒体も、本発明の範疇に入る。
【発明の効果】
【００１４】
以上のように、本発明の表示制御装置は、プレビュー表示される出力画像からでは利用者に認識させることのできない画像処理を特定した特定情報を保存する記憶部を参照することにより、上記出力画像に対して施される画像処理のなかから上記特定情報にて特定されている画像処理を選択し、当該選択した画像処理の内容を利用者に通知する通知部を有することを特徴とする。それゆえ、出力画像に施される画像処理内容や上記出力処理後の出力画像の画質を利用者に誤解させないようにできるという効果を奏する。
【発明を実施するための最良の形態】
【００１５】
〔実施の形態１〕
本発明の画像形成装置の一形態について図に基づいて説明する。図１は、本実施形態の画像形成装置１００の概略構成を示すブロック図である。
【００１６】
本実施形態の画像形成装置１００は、コピアモード・プリントモード・ファクシミリ送信モード・ファクシミリ受信モード・イメージ送信モードの中からいずれかのモードが選択されると、選択されたモードを実行するデジタルカラー複合機である。
【００１７】
コピアモード（複写モード）とは、画像データを読み込み（原稿を読み取って画像データを生成し）、この画像データの画像を用紙に印刷するモードを意味する。また、プリントモードとは、画像形成装置１００に接続されている端末装置から送られてくる画像データの画像を用紙に印刷するモードを意味する。ファクシミリ送信モードとは、原稿を読み取って得られる画像データを電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリにて受信し、受信した画像データの画像を用紙に印刷するモードを意味する。イメージ送信モードとは、（１）原稿を読み取って生成した画像データを電子メールに添付して指定されたアドレスへ送信するモード（scan to e-mailモード）、（２）原稿を読み取って生成した画像データをユーザにより指定されたフォルダに送信するモード（scan to ftpモード）、（３）原稿を読み取って生成した画像データを画像形成装置１００に装着されたＵＳＢメモリなどに送信するモード（scan to usbモード）を意味する。なお、本実施形態においては、画像処理の動作上から、ファクシミリ送信モードとイメージ送信モードとを上記のように分類している。
【００１８】
また、コピアモード・プリントモードが選択されている場合、利用者は、白黒画像を出力する白黒モード，フルカラーの画像を出力するフルカラーモード，利用者の所望する１色のみからなる単色画像を出力するシングルカラーモード，利用者の所望する１色と黒色とからなる２色画像を出力する２色カラーモードのいずれかを選択できるようになっている。
【００１９】
例えば、コピアモードまたはプリントモードにおいて、利用者がシングルカラーモードを選択した場合、上記単色画像が印刷されることになる。また、コピアモードまたはプリントモードにおいて、利用者が２色カラーモードを選択した場合、上記２色画像の画像データが印刷される。なお、シングルカラーモードまたは２色カラーモードでは、利用者は、Ｒ（赤），Ｇ（緑），Ｂ（青），Ｃ（シアン），Ｍ（マゼンタ），Ｙ（イエロー）の中から所望の色を１つ選択することになる。
【００２０】
また、本実施形態では、コピアモードにおいて、自動判別モードを設定することが可能である。この自動判別モードが設定されている場合、画像形成装置１００は、複写対象がカラー原稿か白黒原稿であるかを判別する自動カラー判別処理（ＡＣＳ）を行い、カラー原稿と判別される場合は上記のフルカラーモードで出力処理を行い、白黒原稿と判別される場合は上記の白黒モードで出力処理を行うようになっている。
【００２１】
画像形成装置１００は、図１に示されるように、画像入力装置１０１、画像処理装置１０２、画像出力装置１０３、画像表示装置１０４、受信装置１０５、送信装置１０６、記憶装置１０７、制御部１０８を有している。
【００２２】
画像入力装置１０１は、コピアモード、ファクシミリ送信モード、イメージ送信モードにおいて、原稿を読み取り画像データを生成する画像読取手段である。より具体的に説明すると、画像入力装置１０１は、ＣＣＤ（Charge Coupled Device）を備えたスキャナ部を有し、原稿から反射してきた光を、ＲＧＢに色分解された電気信号（アナログの画像信号）に変換し、この電気信号を画像処理装置１０２に入力するものである。
【００２３】
なお、画像入力装置１０１は、上記のフルカラーモード，シングルカラーモード，２色カラーモードのいずれのモードが選択されている場合であっても、フルカラーにて原稿画像の読み取りを行う。また、画像入力装置１０１は、画像処理装置１０２において前述した自動カラー判別処理が行われる場合であってもフルカラーにて原稿画像の読み取りを行う。
【００２４】
画像処理装置１０２は、画像データ（画像信号）に対して画像処理を施す集積回路であり、ＡＳＩＣ（Application specific integrated circuit）から構成されるものである。この画像処理装置１０２は、図１に示すように、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２、色補正部１３、黒生成／下色除去部１４、空間フィルタ部１５、変倍部１６、出力階調補正部１７、中間調生成部１８の各ブロックを有している。画像処理装置１０２に含まれる各ブロックの処理内容については後で詳述する。
【００２５】
なお、画像処理装置１０２は、コピアモード、ファクシミリ送信モード、イメージ送信モードにおいて、画像入力装置１０１から送られてきた画像データに画像処理を行い、プリントモードにおいて、端末装置から送信されてきた画像データに画像処理を行い、ファクシミリ受信モードにおいて、外部装置から受信した画像データに画像処理を行うようになっている。そして、画像処理装置１０２は、コピアモード、プリントモード、ファクシミリ受信モードにおいて、画像処理を施した画像データを画像出力装置１０３に送信し、ファクシミリ送信モードにおいて、画像処理を施した画像データを送信装置１０６に送信するようになっている。また、画像処理装置１０２は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信するようになっている。
【００２６】
画像出力装置（プリンタ）１０３は、画像処理装置１０２から送られてきた画像データの画像を記録媒体（例えば紙等）上に印刷（形成）するものであり、例えば、電子写真方式またはインクジェット方式を用いたカラープリンタを挙げることができる。なお、本実施形態においての「印刷」とは、プリントモードにおける印刷、コピアモードでの印刷、ファクシミリ受信モードでの印刷のいずれかを意味する。
【００２７】
画像表示装置１０４は、画像形成装置１００の操作パネル（不図示）に備えられている液晶ディスプレイであり、カラー画像の表示が可能な表示手段である。また、画像表示装置１０４は、タッチパネルに覆われており、画像形成装置１００の入力インターフェイスとしての機能を有している。つまり、画像表示装置１０４には、画像形成装置１００に対して各種コマンドの入力を行うためのＧＵＩ（グラフィカルユーザインターフェイス）や操作ガイドが表示される。
【００２８】
また、本実施形態の画像形成装置１００では、コピアモードまたはファクシミリ受信モードにおいて、印刷実行前に、印刷対象となる画像のプレビューを画像表示装置１０４に表示することが可能になっている。さらに、本実施形態の画像形成装置１００では、ファクシミリ送信モードまたはイメージ送信モードにおける送信実行前において、送信対象となる画像のプレビューを画像表示装置１０４に表示することが可能になっている。
【００２９】
また、コピアモードまたはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【００３０】
なお、画像表示装置１０４は、液晶ディスプレイに限定されるものではなく、液晶ディスプレイ以外の表示手段（例えば、有機ＥＬディスプレイ、プラズマディスプレイ等）であってもよい。
【００３１】
受信装置１０５は、電話回線またはインターネットに接続しており、ファクシミリ通信によって外部装置から画像データを受信する装置である。また、送信装置１０６は、電話回線またはインターネットに接続しており、画像入力装置１０１にて入力された画像データをファクシミリ通信によって外部装置へ送信する装置である。
【００３２】
記憶装置１０７は、画像処理装置１０２にて扱われる画像データを一旦保存するためのハードディスクである。
【００３３】
制御部１０８は、ＣＰＵ（Central Processing Unit）あるいはＤＳＰ（Digital Signal Processor）等のプロセッサを含むコンピュータであり、画像形成装置１００に備えられる各種ハードウェアを統括的に制御するものである。また、制御部１０８は、画像形成装置１００に備えられる各ハードウェア間のデータ転送を制御する機能も有する。
【００３４】
つぎに、コピアモード、ファクシミリ送信モード、ファクシミリ受信モード、イメージ送信モードの各モードにおいて、画像処理装置１０２の各ブロックにて実行される処理の内容を詳細に説明する。なお、本実施形態の画像処理装置１０２には、或るモードａが選択されている時は動作する一方で前記モードａとは異なるモードｂが選択されている時は動作しないようなブロックが存在する（モードａ、モードｂは、コピアモード、ファクシミリ送信モード、ファクシミリ受信モード、イメージ送信モードのいずれかである）。また、画像処理装置１０２には、選択されているモードに応じて処理内容を変更するブロックも存在する。さらに、画像処理装置１０２には、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。そこで、以下では、画像処理装置１０２に含まれる各ブロックにて実行される処理の内容について、モード別に説明すると共に、印刷処理時（または送信処理時）とプレビュー表示時とで分けて説明する。
【００３５】
（１）コピアモード
（１−１）印刷処理時（画像印刷ジョブ時）
以下では、図１に基づいて画像処理装置１０２について説明するが、図１はコピアモード且つフルカラーモードにて印刷処理を行う際の画像処理装置１０２内の画像データの流れを示したものである事を述べておく。
【００３６】
Ａ／Ｄ（アナログ・デジタル）変換部２は、画像入力装置１０１から送られてきたカラー画像信号（ＲＧＢアナログ信号）をデジタルの画像データ（ＲＧＢデジタル信号）に変換するブロックである。シェーディング補正部３は、Ａ／Ｄ変換部２から送られてきた画像データに対して、画像入力装置１０１の照明系、結像系、撮像系で生じる各種の歪みを取り除く処理を施すブロックである。入力処理部４は、シェーディング補正部３より送られてくるＲＧＢの画像データのそれぞれに対してγ補正処理などの階調変換処理を施すブロックである。
【００３７】
原稿種別自動判別部５は、入力処理部４にてγ補正等の処理がなされたＲＧＢの画像データ（ＲＧＢの濃度信号）に基づき、画像入力装置１０１にて読み取られた原稿の種別の判定を行う。ここで、判定される原稿の種別としては、文字原稿、印刷写真原稿、文字と印刷写真とが混在した文字印刷写真原稿等がある。また、原稿種別自動判別部５は、上記画像データに基づき、読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うことができる。なお、原稿種別自動判別部５から出力されるＲＧＢの画像データは、領域分離処理部６および圧縮部７に入力するようになっている。
【００３８】
領域分離処理部６は、原稿種別自動判別部５から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部６において判別される画像領域には、黒文字領域，色文字領域，網点領域等がある。なお、領域分離処理は、画素毎に画像領域の判定を行う形態ではなく、複数の画素よりなるブロック毎に画像領域の判定が行われる形態であってもよい。
【００３９】
圧縮部７は、原稿種別自動判別部５から送られてくる画像データ（ＲＧＢ信号）を符号化する処理を行うブロックである。なお、上記符号化は、例えばＪＰＥＧ(Joint Photographic Experts Group)方式に基づいて行われる。
【００４０】
領域分離信号圧縮部８は、画素毎に生成された領域分離信号に対して圧縮処理を施すブロックである。なお、領域分離信号圧縮部８における圧縮処理は、例えば、可逆圧縮方法であるＭＭＲ（Modified Modified Reed）方式、ＭＲ（Modified Reed）方式に基づいて行われる。
【００４１】
制御部１０８は、圧縮部７から出力された符号化コード（符号化された画像データ）と領域分離信号圧縮部８から出力された領域分離信号コード（圧縮された領域分離信号）とを一旦記憶装置１０７に保存し、ファイリングデータとして管理する。そして、制御部１０８は、コピー出力動作が指示された場合、記憶装置１０７から上記の符号化コードおよび当該符号化コードに対応する領域分離信号コードを読み出し、復号部９、領域分離信号復号部１０にそれぞれ引き渡す。
【００４２】
なお、制御部１０８は、上記符号化コードの保存アドレスまたはデータ名と、領域分離信号コードの保存アドレスとを対応付けて管理テーブルに記入する。つまり、制御部１０８は、当該管理テーブルを用いて、符号化コードおよび領域分離信号コードの読み出しまたは書き込みの制御を行っている。
【００４３】
復号部９は、上記符号化コードに対して復号化処理を施すことによって、上記符号化コードをＲＧＢの画像データに伸張する。また、領域分離信号復号部１０は、上記領域分離信号コードに対して復号化処理を施す。復号化した領域分離信号は、黒生成／下色除去部１４、空間フィルタ部１５、中間調生成部１８に引き渡される。そして、黒生成／下色除去部１４、空間フィルタ部１５、中間調生成部１８においては、画像領域の種類に応じて画像処理内容の切替えが行われる。
【００４４】
画質調整部１１は、復号部９から送られてくるＲＧＢの画像データについて、下地の検出を行って下地除去補正を行う。さらに、画質調整部１１は、ユーザによって操作パネル（不図示）から入力される設定情報に基づいて、ＲＧＢのバランス（カラー調整、赤み青みといった全体のカラー調整）、明るさ、鮮やかさの調整を行う。
【００４５】
さらに、画質調整部１１は、シングルカラーモードが選択されている場合、ＲＧＢの画像データを、ＲＧＢの補色となるＣＭＹの画像データに変換する処理を行う。ここで、シングルカラーモードにおいてのＲＧＢの画像データからＣＭＹの画像データへの変換処理は、下記の式１を用いることによって実行される。なお、式１における係数ｒ１〜ｒ３は〔表１〕に基づいて定められる。例えば、利用者がシングルカラーモードにおいて所望の色としてシアンを選択している場合、〔表１〕の「Ｃｙａｎ」の欄に属するｒ１〜ｒ３の値が参照され、ｒ１＝１，ｒ２＝０，ｒ３＝０が選択されることになる。
【００４６】
【数１】
2010056802.tif 000003
【００４７】
【表１】
2010056802.tif 000004
【００４８】
つまり、フルカラーモードの場合の画質調整部１１からの出力は、図１に示されるように、ＲＧＢの画像データとなるところ、シングルカラーモードが選択されている場合の画質調整部１１からの出力は、図２（ａ）に示されるように、ＣＭＹの画像データとなる。なお、２色カラーモードが選択されている場合の画質調整部１１からの出力は、図２（ｂ）に示されるように、ＲＧＢの画像データとなる。なお、図２（ａ）は、コピアモード且つシングルカラーモードにて印刷処理が行われる際の画像処理装置１０２の一部のブロックを示したものであり、図２（ｂ）は、コピアモード且つ２色カラーモードにて印刷処理が行われる際の画像処理装置１０２の一部のブロックを示したものである。
【００４９】
また、画質調整部１１にて実行される鮮やかさの調整は、式１のマトリクスのｒ１〜ｒ３およびａ１〜ａ３の各値を変更した上で当該マトリクスを用いることによって実現可能である。それゆえ、上記の鮮やかさの調整と、シングルカラーモードにおける画像データの変換処理（ＲＧＢからＣＭＹへの変換）とについては、マトリクスを共用でき、画像処理回路を共用できる。よって、本実施形態では、上記の鮮やかさの調整と、シングルカラーモードにおける画像データの変換処理とが、同じ処理部（画質調整部１１）で行われるのである。
【００５０】
２色化処理部１２は、２色カラーモードが選択されている場合、図２（ｂ）に示すように、画質調整部１１から出力されたＲＧＢの画像データをＣＭＹの画像データに変換する処理を行うブロックである。なお、２色カラーモードにおいてのＲＧＢの画像データからＣＭＹの画像データへの変換処理は、例えば、特開２００７−２８３３６号公報に記載されている〔実施例１〕または〔実施例２〕の手法にて実現できる。
【００５１】
また、２色化処理部１２は、フルカラーモードが選択されている場合、図１に示されるように、画質調整部１１から出力されたＲＧＢの画像データに対して何も処理を行わず、当該画像データをそのまま色補正部１３へ引き渡す（スルーする）。さらに、２色化処理部１２は、シングルカラーモードが選択されている場合、図２（ａ）に示すように、画質調整部１１から出力されたＣＭＹの画像データに対して何も処理を行わず、当該画像データをそのまま色補正部１３へ引き渡す（スルーする）。
【００５２】
色補正部１３は、フルカラーモードが選択されている場合、２色化処理部１２から出力されるＲＧＢの画像データをＣＭＹの画像データに変換する色補正処理を行うと共に、当該画像データに対して色再現性を高める処理を施すブロックである。なお、上記の色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。
【００５３】
また、色補正部１３は、シングルカラーモードまたは２色カラーモードが選択されている場合、図２（ａ）（ｂ）に示されるように、２色化処理部１２から出力されたＣＭＹの画像データに対して何も処理を行わず、当該画像データをそのまま黒生成／下色除去部１４へ引き渡す（スルーする）。
【００５４】
黒生成／下色除去部１４は、フルカラーモードまたは２色カラーモードが選択されている場合、色補正部１３から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードまたは２色カラーモードが選択されている場合、図１および図２（ｂ）に示されるように、ＣＭＹの画像データは黒生成／下色除去部１４によってＣＭＹＫの４色の画像データに変換される。
【００５５】
また、黒生成／下色除去部１４は、シングルカラーモードが選択されている場合、図２（ａ）に示されるように、色補正部１３から出力されたＣＭＹの画像データに対して何も処理を行わず、当該画像データをそのまま後段の空間フィルタ部１５へ引き渡す（スルーする）。
【００５６】
なお、フルカラーモードまたは２色カラーモードが選択されている場合、黒生成／下色除去部１４の出力、および、黒生成／下色除去部１４よりも後段の各ブロックの入出力は、図１のように、ＣＭＹＫの画像データとなる。しかし、シングルカラーモードが選択されている場合、黒生成／下色除去部１４の出力、および、黒生成／下色除去部１４よりも後段の各ブロックの入出力は、図１とは異なり、ＣＭＹの画像データとなる。
【００５７】
空間フィルタ部１５は、黒生成／下色除去部１４より出力されるＣＭＹＫまたはＣＭＹの画像データに対して、領域分離信号（領域識別信号）を基にデジタルフィルタによる空間フィルタ処理（強調処理、平滑化処理等）を行っている。つまり、空間フィルタ部１５では、領域分離信号に基づいて、画像領域毎に異なる画像処理が実行される。
【００５８】
変倍部１６は、操作パネル（不図示）を介して利用者によって入力される変倍コマンド（印刷画像の倍率を示した情報）に基づいて、画像の拡大や縮小処理を行うブロックである。
【００５９】
出力階調補正部１７は、変倍部１６から出力された画像データに対して、用紙等の記録媒体に出力するための出力γ補正処理を行うブロックである。中間調生成部１８は、誤差拡散法やディザ法を用いて、画像出力装置１０３において画像を印刷するために必要な階調再現処理（中間調生成処理）を実行するものである。
【００６０】
そして、中間調生成部１８から出力されるＣＭＹＫまたはＣＭＹの画像データは画像出力装置１０３に引き渡され、画像出力装置１０３は、当該画像データの画像を記録媒体（例えば紙等）上に印刷する。
【００６１】
（１−２）プレビュー表示時
つぎに、コピアモードにて印刷対象画像のプレビューを表示する場合に画像処理装置１０２の各ブロックにて実行される処理の内容を図３に基づいて説明する。図３は、図１の画像形成装置１００と同じ画像形成装置１００を示すブロック図であり、コピアモード且つフルカラーモードにてプレビュー表示を行う際の画像データの流れを示した図である。
【００６２】
なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、画質調整部１１、２色化処理部１２の処理については、印刷処理時と同じであるため、以下ではその説明を省略する。
【００６３】
領域分離信号復号部１０は、図３に示すように、プレビュー表示時において、復号化した領域分離信号を空間フィルタ部１５および出力階調補正部１７に引き渡す。
【００６４】
色補正部１３は、フルカラーモードにおいて、ＲＧＢの画像データを入力する。なお、ＲＧＢの画像データは、スキャナ（画像入力装置１０１）の色空間に適合しているデータである。そして、色補正部１３は、このＲＧＢの画像データを画像表示装置１０４の色空間に適合するＲ’Ｇ’Ｂ’の画像データへ変換する処理を行う。
【００６５】
つまり、色補正部１３は、スキャナの画像読取特性に適合したＲＧＢの画像データを表示装置の表示特性に適合したＲ’Ｇ’Ｂ’の画像データに変換する処理を行っているのである。なお、ＲＧＢの画像データをＲ’Ｇ’Ｂ’の画像データに変換する処理も、入力値（ＲＧＢ）と出力値（Ｒ’Ｇ’Ｂ’）とを対応付けたＬＵＴを作成し、作成したＬＵＴから出力値をルックアップすることによって実現される。
【００６６】
そして、本実施形態では、フルカラーモードにおいて、印刷処理時のＲＧＢの画像データからＣＭＹＫの画像データへの変換処理と、プレビュー表示時のＲＧＢの画像データからＲ’Ｇ’Ｂ’ の画像データへの変換処理とについて、画像処理回路を共用している。
【００６７】
ここで、図３は、図１と同様、フルカラーモードが選択されている場合の画像形成装置１００を示したものであり、色補正部１３は、フルカラーモードにおいて、ＲＧＢの画像データを入力するようになっている。しかし、シングルカラーモードまたは２色カラーモードでは、図４（ａ）（ｂ）に示すように、色補正部１３はＣＭＹの画像データを入力するようになっている。なお、図４（ａ）は、コピアモード且つシングルカラーモードにてプレビュー表示処理が行われる際の画像処理装置１０２の一部のブロックを示したものであり、図４（ｂ）は、コピアモード且つ２色カラーモードにてプレビュー表示処理が行われる際の画像処理装置１０２の一部のブロックを示したものである。
【００６８】
そして、色補正部１３は、シングルカラーモードまたは２色カラーモードでは、ＣＭＹの画像データをＲ’Ｇ’Ｂ’の画像データに変換する処理を行う。つまり、色補正部１３は、印刷処理の印刷特性に適合したＣＭＹの画像データを表示装置の表示特性に適合したＲ’Ｇ’Ｂ’の画像データに変換する処理を行っているのである。なお、ＣＭＹの画像データをＲ’Ｇ’Ｂ’の画像データに変換する処理も、入力値（ＣＭＹ）と出力値（Ｒ’Ｇ’Ｂ’）とを対応付けたＬＵＴを作成し、作成したＬＵＴから出力値をルックアップすることによって実現される。
【００６９】
黒生成／下色除去部１４は、図３および図４に示すように、シングルカラーモード，２色カラーモード，フルカラーモードのいずれのモードであっても、色補正部１３から出力されたＲ’Ｇ’Ｂ’の画像データに対して何も処理を行わず、当該画像データをそのまま後段の空間フィルタ部１５へ引き渡す（スルーする）。
【００７０】
空間フィルタ部１５は、黒生成／下色除去部１４より出力されたＲ’Ｇ’Ｂ’の画像データに対して、領域分離信号を基にデジタルフィルタによる空間フィルタ処理（強調処理、平滑化処理等）を行っている。つまり、空間フィルタ部１５では、印刷処理時と同様、領域分離信号に基づいて、画像領域毎に異なる画像処理が実行される。
【００７１】
変倍部１６は、空間フィルタ部１５から出力されたＲ’Ｇ’Ｂ’の画像データからなる画像の画素数を画像表示装置１０４の画素数に変換する間引き処理（画素数を減少する処理）を行う。画像形成装置１００の操作パネルに備えられる画像表示装置１０４は、印刷を行う画像データの解像度と比較すると低解像度であり、通常、極めて小型のディスプレイである。それゆえ、プレビュー表示時においては、画像データを間引く必要がある。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【００７２】
出力階調補正部１７は、変倍部１６から出力されてきた画像データに対して、領域分離信号を基に出力γ補正処理を行っている。より具体的に説明すると、出力階調補正部１７は、領域分離信号を基に、画像領域に応じて異なるガンマ曲線を選択し、画像領域毎に出力γ補正処理の内容を異ならせている。例えば、文字以外の領域に対しては、画像表示装置１０４の表示特性に応じたガンマ曲線が選択され、文字領域に対しては、文字をくっきりと表示させるためのガンマ曲線が選択される。ここで、図５（ａ）は、画像表示装置１０４の表示特性に応じたガンマ曲線である。また、図５（ｂ）の実線で示される曲線は文字をくっきりと表示させるためのガンマ曲線である。なお、図５（ｂ）の破線は、画像表示装置１０４の表示特性に応じたガンマ曲線であり、文字をくっきりと表示させるためのガンマ曲線と比較するために図示したものである。
【００７３】
なお、本実施形態では、出力階調補正部１７は、領域分離信号に基づいてガンマ曲線の選択を行っているが、領域分離信号による選択を行わないで図５（ａ）のガンマ曲線のみを用いて出力階調補正を行うようにしても良い。
【００７４】
そして、中間調生成部１８は、出力階調補正部１７から出力されたＲ’Ｇ’Ｂ’の画像データに対して何も処理を行わず、当該画像データをそのまま後段の画像表示装置１０４へ引き渡す（スルーする）。これにより、画像表示装置１０４は、Ｒ’Ｇ’Ｂ’の画像データに基づいて、コピー対象となる画像のプレビューを表示できる。
【００７５】
なお、出力階調補正部１７において実行されている出力γ補正処理は、画質調整部１１にて実行されてもよい。
【００７６】
（１−３）各ブロックの動作/非動作について
以上のように、フルカラーモードの印刷時では、画質調整部１１〜中間調生成部１８のうち、２色化処理部１２は動作しないが、それ以外のブロックは全て動作することになる（図１参照）。これに対し、フルカラーモードのプレビュー表示時では、画質調整部１１〜中間調生成部１８のうち、２色化処理部１２と黒生成／下色除去部１４と中間調生成部１８とは動作しないが、それ以外のブロックは全て動作することになる（図３参照）。
【００７７】
また、２色カラーモードの印刷時では、画質調整部１１〜中間調生成部１８のうち、色補正部１３は動作しないが、それ以外のブロックは全て動作することになる（図２（ｂ）参照）。これに対し、２色カラーモードのプレビュー表示時では、画質調整部１１〜中間調生成部１８のうち、黒生成／下色除去部１４と中間調生成部１８とが動作しないが、それ以外のブロックは全て動作することになる（図４（ｂ）参照）。
【００７８】
さらに、シングルカラーモードの印刷時では、画質調整部１１〜中間調生成部１８のうち、２色化処理部１２と色補正部１３と黒生成／下色除去部１４とが動作しないが、それ以外のブロックは全て動作することになる（図２（ａ）参照）。これに対し、シングルカラーモードのプレビュー表示時では、画質調整部１１〜中間調生成部１８のうち、２色化処理部１２と黒生成／下色除去部１４と中間調生成部１８とが動作しないが、それ以外のブロックは全て動作することになる（図４（ａ）参照）。
【００７９】
（１−４）処理手順について
つぎに、コピアモード且つフルカラーモードが選択されている場合の処理手順の一例を図６に基づいて説明する。図６は、コピアモード且つフルカラーモードが選択されている場合の画像形成装置の処理手順の一例を示したフローチャートである。
【００８０】
画像形成装置１００は、コピアモードが選択され、スタートキーが押されると（Ｓ１にてＹＥＳ）、原稿をスキャンすることによって（Ｓ２）、ＲＧＢのアナログ信号を生成する。なお、Ｓ１のスタートキーを押す前において、利用者は、プレビュー表示の要否を示す設定情報を入力することにより、画像形成装置１００に対してプレビュー表示の有無を設定しているものとする。
【００８１】
Ｓ２の後、画像形成装置１００は、ＲＧＢのアナログ信号をＲＧＢの画像データ（デジタルデータ）に変換し（Ｓ３）、上記画像データに対してシェーディング補正を施し（Ｓ４）、シェーディング補正後のＲＧＢの画像データに対して入力γ補正処理を施す（Ｓ５）。Ｓ５の後、画像形成装置１００は、ＲＧＢの画像データに基づいて原稿種別判定処理および領域分離処理を行い（Ｓ６）、さらに、ＲＧＢの画像データを記憶装置１０７に保存する（Ｓ７）。
【００８２】
Ｓ７の後、画像形成装置１００は、「プレビュー表示有」が設定されているか否かを判定し（Ｓ８）、「プレビュー表示有り」が設定されていない場合はＳ９〜Ｓ１６を実行し、「プレビュー表示有」が設定されている場合はＳ１７〜Ｓ２３を実行することになる。以下では、まずＳ９〜Ｓ１６について説明し、その後、Ｓ１７〜Ｓ２３について説明する。
【００８３】
「プレビュー表示有」が設定されていない場合（Ｓ８においてＮＯ）、画像形成装置１００は、ＲＧＢの画像データを記憶装置１０７から読み出し、下地除去補正や鮮やかさの調整等の画質調整処理を行う（Ｓ９）。その後、画像形成装置１００は、スキャナの特性に応じたＲＧＢの画像データを、プリンタの特性に応じたＣＭＹの画像データに変換し（Ｓ１０）、さらに、ＣＭＹの画像データをＣＭＹＫの画像データに変換する（Ｓ１１）。その後、画像形成装置１００は、領域分離処理の結果を基にＣＭＹＫの画像データに対して空間フィルタ処理を行い（Ｓ１２）、空間フィルタ処理後のＣＭＹＫの画像データに対して変倍処理を施す（Ｓ１３）。Ｓ１３の後、画像形成装置１００は、ＣＭＹＫの画像データに対して出力γ補正処理および階調再現処理を行い（Ｓ１４，Ｓ１５）、当該画像データの画像を用紙に印刷し（Ｓ１６）、処理を終了する。
【００８４】
Ｓ８において「プレビュー表示有」が設定されていると判定された場合（Ｓ８においてＹＥＳ）、画像形成装置１００は、ＲＧＢの画像データを記憶装置１０７から読み出し、Ｓ９の画質調整処理と同じ画質調整処理を行う（Ｓ１７）。その後、画像形成装置１００は、スキャナの特性に応じたＲＧＢの画像データを、表示装置の特性に応じたＲ’Ｇ’Ｂ’の画像データに変換する（Ｓ１８）。Ｓ１８の後、画像形成装置１００は、領域分離処理の結果を基にＲ’Ｇ’Ｂ’の画像データに対して空間フィルタ処理を行い（Ｓ１９）、Ｒ’Ｇ’Ｂ’の画像データがディスプレイの解像度およびサイズに適合するものになるように当該Ｒ’Ｇ’Ｂ’の画像データに対して間引き処理を行う（Ｓ２０）。Ｓ２０の後、画像形成装置１００は、領域分離処理の結果を基に、Ｒ’Ｇ’Ｂ’の画像データに対して出力γ補正処理を行う（Ｓ２１）。Ｓ２１の後、画像形成装置１００は、Ｒ’Ｇ’Ｂ’の画像データに基づいてプレビュー表示を行う（Ｓ２２）。そして、Ｓ２２の後、プリント許可を示すコマンドが利用者から入力されると（Ｓ２３にてＹＥＳ）、画像形成装置１００は、記憶装置１０７に記憶されているＲＧＢの画像データを再度読み出し、この画像データに基づいてＳ９〜Ｓ１６の処理を実行して印刷を行う。これに対し、Ｓ２２の後、プリント取消を示すコマンドが利用者から入力されると（Ｓ２３にてＮＯ）、画像形成装置１００は処理を終了する。
【００８５】
（２）ファクシミリ送信モード
（２−１）送信処理時（画像送信ジョブ時）
図７は、図１の画像形成装置１００と同じ画像形成装置１００を示すブロック図であり、ファクシミリ送信モードにて送信処理を行う際の画像データの流れを示した図である。なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理については、コピアモードの場合と同じであるため、以下ではその説明を省略する。
【００８６】
領域分離信号復号部１０は、ファクシミリ送信モードでは、記憶装置１０７から領域分離信号コードを読み出して復号化し、復号化した領域分離信号を空間フィルタ部１５へ送信する。
【００８７】
画質調整部１１は、復号部９から出力されたＲＧＢの画像データをＫの画像データ（グレーの濃淡を示す値）に変換する。なお、この変換は、所定のマトリクス係数や下記の式２を用いることによって行われる。
輝度値（Ｋの画像データの値）＝０．２９９ｒ＋０．５８７ｇ＋０．１１４ｂ    式２
ｒは赤の画像データの値（濃度値）であり、ｇは緑の画像データの値であり、ｂは青の画像データの値である。
【００８８】
２色化処理部１２、色補正部１３、黒生成／下色除去部１４は、画質調整部１１から出力されたＫの画像データ（信号）に対して何も処理を行わず、このＫの画像データをそのまま後段の空間フィルタ部１５へ引き渡す（スルーする）。
【００８９】
空間フィルタ部１５は、Ｋの画像データに対して、領域分離信号を基にデジタルフィルタによる空間フィルタ処理（強調処理，平滑化処理等）を行っている。変倍部１６は、送信解像度に応じてＫの画像データに対して変倍処理を行う。出力階調補正部１７は、変倍部１６から出力されたＫの画像データに対して出力γ補正処理（用紙等の記録媒体に出力するためのγ補正）を行う。中間調生成部１８は、例えば誤差拡散法によって、Ｋの画像データを２値化画像データに変換する。そして、２値化画像データは、不図示の回転処理部によって必要に応じて回転処理がなされ、不図示の圧縮／伸張処理部によって所定の形式で圧縮されて、不図示のメモリに格納される。
【００９０】
その後、送信装置（例えば、モデム）１０６は、相手先との送信手続きを行い送信可能な状態を確保すると、上記メモリに格納されている２値化画像データを所定の形式で圧縮された状態で読み出し、圧縮形式の変更など必要な処理を施し、通信回線を介して当該２値化画像データを相手先に順次送信する。
【００９１】
（２−２）プレビュー表示時
図８は、図１の画像形成装置１００と同じ画像形成装置１００を示すブロック図であり、ファクシミリ送信モードにてプレビュー表示処理を行う際の画像データの流れを示した図である。なお、ファクシミリ送信モードにおけるプレビュー表示とは、ファクシミリ送信前において当該ファクシミリ送信する画像のプレビュー表示を行う処理を意味する。
【００９２】
プレビュー表示時において、Ａ／Ｄ変換部２、シェーディング補正部３、入力処理部４、原稿種別自動判別部５、領域分離処理部６、圧縮部７、領域分離信号圧縮部８、復号部９、領域分離信号復号部１０、画質調整部１１、空間フィルタ部１５の処理は、ファクシミリの送信処理時と同じであるため、その説明を省略する。また、２色化処理部１２、色補正部１３、黒生成／下色除去部１４での処理は、ファクシミリの送信処理時と同じように、スルーされる。
【００９３】
但し、プレビュー表示時においては、送信処理時と異なり、図８に示すように、画質調整部１１から画像表示装置１０４に渡って各画素においてＫの画像データを３つ送信するようにしている（全て同一値）。これは、フルカラー仕様である画像表示装置１０４が１画素に対して３つの値（画像データ）を必要とするからである。
【００９４】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【００９５】
出力階調補正部１７は、変倍部１６から出力されたＫの画像データに対して、画像表示装置１０４の表示特性に応じたγ補正を行う。そして、中間調生成部１８は、出力階調補正部１７から出力されたＫの画像データに対して何も処理を行わず、当該Ｋの画像データをそのまま後段の画像表示装置１０４へ引き渡す（スルーする）。これにより、画像表示装置１０４は、Ｋの画像データに基づいて、ファックス送信の対象となる画像のプレビューを表示できる。
【００９６】
また、ファクシミリ送信モードのプレビュー表示処理時では、画質調整部１１において、ＲＧＢの画像データが３つのＫの画像データに変換される形態となっている。しかし、このような形態に限定されるものではなく、例えば、出力階調補正部１７まではＲＧＢの画像データをＫの画像データに変換することなく画像処理を行い、出力階調補正部１７から出力されたＲＧＢの画像データをブラウザによってＫの画像データに変換するような形態であってもよい。
【００９７】
（２−３）各ブロックの動作/非動作について
以上のように、ファクシミリ送信モードの送信処理時では、画質調整部１１〜中間調生成部１８のうち、２色化処理部１２、色補正部１３、黒生成／下色除去部１４は動作しないが、それ以外のブロックは全て動作することになる（図７参照）。これに対し、ファクシミリ送信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図８参照）。
【００９８】
（２−４）処理手順
つぎに、ファクシミリ送信モードにおける処理手順の一例を説明する。画像形成装置１００において「プレビュー表示有り」の設定がされていない状態で、利用者によってファックス送信コマンドが入力された場合、図７に示されるように画像データが処理され、当該画像データが外部装置へ送信されることになる。
【００９９】
これに対し、画像形成装置１００において「プレビュー表示有り」の設定がされている状態で、利用者によってファックス送信コマンドが入力された場合、図８に示されるように画像データが処理されることによって、当該画像データが記憶装置１０７に保存され、且つ、当該画像データの画像のプレビューが画像表示装置１０４に表示される。そして、プレビューが表示されている状態において送信許可を示すコマンドが利用者から入力されると、記憶装置１０７の画像データが読み出され、読み出された画像データは図７に示されるように復号部９〜中間調生成部１８によって処理され、送信装置１０６によって外部装置に送信される。
【０１００】
（３）ファクシミリ受信モード
（３−１）印刷処理時（画像印刷ジョブ時）
図９は、図１の画像形成装置１００と同じ画像形成装置１００を示すブロック図であり、ファクシミリ受信モードにて印刷処理を行う際の画像データの流れを示した図である。
【０１０１】
ファクシミリを受信する場合、受信装置１０５が、通信手続きを行いながら相手先から送信されてくるＫの画像データ（１ビット）を受信する。そして、受信装置１０５にて受信されたＫの画像データは、圧縮/伸張処理部（不図示）にて伸張処理が施され、回転処理部（不図示）にて必要に応じて回転処理が施され、解像度変換部（不図示）にて必要に応じて解像度変換処理が行なわれる。その後、当該画像データは、一旦、記憶装置１０７に保存される。
【０１０２】
さらに、記憶装置１０７に書き込まれた画像データは、制御部１０８によって画像処理装置１０２の復号部９に引き渡される。復号部９、画質調整部１１、２色化処理部１２、色補正部１３、黒生成／下色除去部１４、空間フィルタ部１５、変倍部１６、出力階調補正部１７および中間調生成部１８は、記憶装置１０７から送られてきた画像データに対して何も処理を行わず、当該画像データをそのまま後段の画像出力装置１０３へ引き渡す（スルーする）。画像出力装置１０３は、中間調生成部１８より送られてきたＫの画像データに基づいて記録媒体（例えば紙等）上に画像を形成する。なお、ファクシミリ受信モードにて印刷処理を行う場合、上記のように画像処理を行わないので、記憶装置１０７に格納されている画像データを直接画像出力装置１０３に出力するようにしても良い。
【０１０３】
（３−２）プレビュー表示時
図１０は、図１の画像形成装置１００と同じ画像形成装置１００を示すブロック図であり、ファクシミリ受信モードにてプレビュー表示処理を行う際の画像データの流れを示した図である。なお、ファクシミリ受信モードにおけるプレビュー表示とは、ファクシミリにて画像データを受信した場合、当該画像データの画像を印刷する前に印刷される画像のプレビュー表示を行う処理を意味する。
【０１０４】
ファクシミリ受信モードにおけるプレビュー表示時においても、ファクシミリ受信モードにおける印刷処理時と同様、記憶装置１０７に書き込まれた画像データは、制御部１０８によって画像処理装置１０２の復号部９に引き渡される。復号部９は、記憶装置１０７から送られてきた画像データに対して何も処理を行わず、不図示のビット数変換処理部に当該画像データを引き渡す（スルーする）。そして、ビット数変換処理部は、復号部９から受け取った画像データのビット数を変換し（例えば１ビットから８ビットへ変換）、ビット数変換された画像データを後段の画質調整部１１へ引き渡す。つまり、図示はしていないものの、図１０において復号部９と画質調整部１１との間にビット数変換処理部が備えられていることになる。
【０１０５】
画質調整部１１は、図１０に示すように、画素毎に、１つのＫの画像データを入力すると、このＫの画像データを３つ生成して出力している（全て同一値）。これは、フルカラー仕様である画像表示装置１０４が１画素に対して３つの値を必要とするからである。
【０１０６】
その後、２色化処理部１２、色補正部１３、黒生成／下色除去部１４は、画質調整部１１から送られてきたＫの画像データに対して何も処理を行わず、当該画像データをそのまま後段の空間フィルタ部１５へ引き渡す（スルーする）。空間フィルタ部１５は、Ｋの画像データに対してデジタルフィルタを用いてぼかし処理等を行う。
【０１０７】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置１００に備えられる操作パネル（不図示）より入力される変倍コマンド（表示倍率を示す情報、例えば２〜４倍等の固定倍率）に基づいて画像の拡大や縮小処理がなされる。
【０１０８】
出力階調補正部１７は、変倍部１６から出力されたＫの画像データに対して、画像表示装置１０４の表示特性に応じた出力γ補正処理を行う。そして、中間調生成部１８は、出力階調補正部１７から出力されたＫの画像データに対して何も処理を行わず、当該画像データをそのまま後段の画像表示装置１０４へ引き渡す（スルーする）。これにより、画像表示装置１０４は、Ｋの画像データに基づいて、ファックス受信された画像のプレビューを表示できる。
【０１０９】
（３−３）各ブロックの動作/非動作について
以上のように、ファクシミリ受信モードの印刷処理時では、画質調整部１１〜中間調生成部１８は動作しない（図９参照）。これに対し、ファクシミリ受信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図１０参照）。
【０１１０】
（３−４）処理手順
つぎに、ファクシミリ受信モードの処理手順の一例を説明する。画像形成装置１００においてファクシミリによって画像データが受信された場合、受信された画像データは一旦記憶装置１０７に書き込まれる。ここで、画像データが記憶装置１０７に書き込まれてから画像の印刷が行われるまでにはタイムラグがあるが、このタイムラグ中に利用者から「プレビューコマンド」が入力された場合、上記画像データは図１０に示されるような流れで処理され、当該画像データの画像のプレビューが画像表示装置１０４に表示される。また、画像の印刷が行われる際は、図９に示されるような流れで処理され、当該画像データの画像が画像出力装置１０３にて印刷されることになる。
【０１１１】
（４）イメージ送信モード
（４−１）送信処理時（画像送信ジョブ時）
イメージ送信モードの送信処理時にて画像形成装置１００を動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理内容は、コピアモードの場合と同じである。なお、領域分離信号復号部１０は空間フィルタ部１５および出力階調補正部１７に対して領域分離信号を供給している。
【０１１２】
そして、画質調整部１１にて下色除去やカラーバランス調整が行われ、色補正部１３において、一般に普及している表示装置の表示特性に適合したＲ”Ｇ”Ｂ”の画像データ（例えば、ｓＲＧＢデータ）に変換され、空間フィルタ部１５にて領域分離信号を基にデジタルフィルタによる空間フィルタ処理（強調処理，平滑化処理）が行われている。変倍部１６にて画像の拡大や縮小処理が行われる。また、出力階調補正部１７では、例えば、文字領域に対しては図５（ｂ）のガンマ曲線を用いた補正が行われ、文字以外の領域に対しては図５（ａ）のガンマ曲線を用いた補正が行われる。なお、２色化処理部１２、黒生成／下色除去部１４は、入力される画像データに対して処理を行わず、この画像データをそのまま後段のブロックにスルーする。したがって、出力階調補正部１７から出力されるのはＲ”Ｇ”Ｂ”の画像データである。
【０１１３】
さらに、出力階調補正部１７から出力されるＲ”Ｇ”Ｂ”の画像データは、図示しないフォーマット変換処理部にてＰＤＦファイル等の画像ファイルに変換される。そして、イメージ送信モードのscan to e-mailモードにおいて、当該画像ファイルは図示しないメール処理部（ジョブ装置）にて電子メールに添付され、当該電子メールがネットワークを介して相手先に送信されることになる。また、イメージ送信モードのscan to ftpモードにおいて当該画像ファイルは所定のフォルダに送信され、イメージ送信モードのscan to usbモードにおいて当該画像ファイルは所定のＵＳＢメモリに送信される。
【０１１４】
（４−２）プレビュー表示時
イメージ送信モードのプレビュー表示時にて画像形成装置１００を動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２の処理内容は、イメージ送信モードの送信時と共通である。
【０１１５】
そして、イメージ送信モードのプレビュー表示時において、色補正部１３は、ＲＧＢの画像データを画像表示装置１０４の色空間に適合するＲ’Ｇ’Ｂ’の画像データへ変換する処理を行う。
【０１１６】
その後、送信時と同様、空間フィルタ部１５にて領域分離信号を基にデジタルフィルタによる空間フィルタ処理（強調処理，平滑化処理）が行われている。変倍部１６にて画像表示装置１０４のサイズに適合するように間引き処理が行われる。また、出力階調補正部１７では、例えば、文字領域に対しては図５（ｂ）のガンマ曲線を用いた補正が行われ、文字以外の領域に対しては図５（ａ）のガンマ曲線を用いた補正が行われる。
【０１１７】
そして、出力階調補正部１７から出力されるＲ’Ｇ’Ｂ’の画像データは画像表示装置１０４に供給され、画像表示装置１０４はＲ’Ｇ’Ｂ’の画像データに基づいてプレビュー表示を行う。
【０１１８】
（５）変形例
図１に示した画像形成装置１００では、圧縮画像データ（符号化コード）と領域分離信号コードとを対応付けて記憶装置１０７に格納している。しかし、図１１に示す画像形成装置１００ａのように、画像入力装置１０１にて画像データを読み取った後、領域分離処理および原稿種別判別処理を行う前に、読み取った画像データを符号化して一旦記憶装置１０７に格納しておき、記憶装置１０７から読み出して復号化した画像データについて原稿種別判別処理や領域分離処理を施すように構成しても良い。
【０１１９】
また、図１に示した画像形成装置１００は、コピアモード・プリントモード・ファクシミリ送信モード・ファクシミリ受信モード・イメージ送信モード等のジョブの選択中に画像ファイリングモード（画像ファイリングジョブ）を実行可能としてもよい。この画像ファイリングモードとは、コピアモード等のジョブの選択中において、画像入力装置１０１にて得られた画像データまたは外部から受信した画像データに基づいて画像ファイル（ＪＰＥＧ、ＴＩＦＦファイル等）を作成し、この画像ファイルを記憶装置１０７に保存するモードである。
【０１２０】
ここで、画像ファイリングモードのファイリング時において、画像入力装置１０１にて得られた画像データまたは外部から受信した画像データは画像処理装置１０２にて画像ファイル（ＪＰＥＧ、ＴＩＦＦファイル等）に変換され、その後、不図示のファイリング処理部（ジョブ装置）に送られ、このファイリング処理部が上記画像ファイルを記憶装置１０７に保存されるようになっている。
【０１２１】
また、各ジョブ（コピアモード・プリントモード・ファクシミリ送信モード等）の選択中においてプレビューを行う場合、画像ファイリングモードの実行の有無に拘わらず、画像入力装置１０１にて得られた画像データまたは外部から受信した画像データは画像処理装置１０２にて処理され、その後、画像表示装置１０４に送られるようになっている。さらに、各ジョブの選択中においてプレビューを行う場合、画像ファイリングモードの実行の有無に拘わらず、画像処理装置１０２にて実行される画像処理の内容は同一である。例えば、コピアモードのプレビュー表示時、画像ファイリングモードの実行の有無に関係なく、画像処理装置１０２の処理内容は図３に示すものとなる。また、ファクシミリ送信モードのプレビュー表示時、画像ファイリングモードの実行の有無に関係なく、画像処理装置１０２の処理内容は図８に示すものとなる。
【０１２２】
（６）本実施形態の画像処理装置の利点について
本実施の形態の画像処理装置１０２は、印刷ジョブ(コピアモード、プリントモード)を行う画像出力装置（ジョブ装置，印刷装置）１０３に対して画像データを供給し、上記印刷ジョブの実行前に画像表示装置１０４にプレビューを表示させるために、上記画像データを画像表示装置１０４に供給するものである。
【０１２３】
そして、画像処理装置１０２は、画像出力装置１０３に供給される画像データに対して実行される第１画像処理と、画像表示装置１０４に供給される画像データに対して実行され且つ第１画像処理とは異なる第２画像処理とを、両画像処理に共通の回路領域を用いて実行する第１画像処理部を含んでいる。ここで、第１画像処理部の一例としては、コピアモード且つフルカラーモードにおける色補正部１３が挙げられる。この色補正部１３においては、ＲＧＢからＣＭＹへの変換処理（第１画像処理）と、ＲＧＢからＲ’Ｇ’Ｂ’への変換処理（第２画像処理）とを共通の回路領域にて行っているからである。
【０１２４】
これにより、印刷処理等用の画像処理のみならず、印刷処理前のプレビュー用の画像処理を行う画像処理装置であっても、画像処理回路の回路規模を抑制できるという効果を奏する。
【０１２５】
また、本実施形態では、コピアモード且つフルカラーモードの印刷時、色補正部１３は、スキャナにて読み取られ且つスキャナの特性に応じた加法混色用の画像データ（ＲＧＢ）を、画像出力装置１０３の特性に応じた減法混色用の画像データ（ＣＭＹ）に変換する処理を行っている。これに対し、コピアモード且つフルカラーモードのプレビュー時、色補正部１３は、スキャナにて読み取られ且つスキャナの特性に応じた加法混色用の画像データ（ＲＧＢ）を、画像表示装置１０４の特性に応じた加法混色用の画像データ（Ｒ’Ｇ’Ｂ’）に変換する処理を行っている。つまり、プレビュー表示時、スキャナの特性に応じた加法混色用の画像データを画像表示装置１０４の特性に応じた加法混色用の画像データに直接変換している。したがって、本実施形態の画像処理装置１０２によれば、コピアモード且つフルカラーモードのプレビュー表示時、ＲＧＢの画像データからＲ’Ｇ’Ｂ’の画像データへの１回の非線形変換を行っているものの、特開平９−１３５３１６号公報の構成のように複数回の非線形変換を行うことがないため、変換誤差の蓄積を抑制でき、色再現性の低下を抑制できる。なお、特開平９−１３５３１６号公報では、ＲＧＢのデータからＣＭＹのデータへの変換、ＣＭＹのデータからＣＭＹＫのデータへの変換、ＣＭＹＫのデータからＣＭＹのデータへの変換、ＣＭＹのデータからＲＧＢのデータへ変換の計４回の変換が行われているため、変換誤差が蓄積され、色再現性が低下してしまう。
【０１２６】
また、本実施形態では、コピアモード且つシングルカラーモードのプレビュー時、または、コピアモード且つ２色カラーモードのプレビュー時、上記非線形変換を行っているものの、非線形変換の回数は２回のみであるため、計４回の非線形変換を行っている特開平９−１３５３１６号公報の構成よりも色再現性の低下を抑制できる。
【０１２７】
さらに、本実施形態では、コピアモード且つフルカラーモードの印刷時、黒生成／下色除去部１４においては、ＣＭＹの画像データをＣＭＹＫの画像データに変換する処理が行われる一方、コピアモード且つフルカラーモードのプレビュー表示時、黒生成／下色除去部１４においては、Ｒ’Ｇ’Ｂ’に対して処理を施さずにそのまま出力している。これにより、ＣＭＹからＣＭＹＫに変換する処理（黒生成／下色除去処理）を行う必要がある印刷用の画像データと、黒生成／下色除去処理を行う必要の無いプレビュー用の画像データとについて、画像処理回路内での画像データの経路を共通にでき、回路構成を簡略化できる。
【０１２８】
なお、本実施形態の画像処理装置１０２においては、原稿種別自動判別部５の判別結果に基づく画像処理,領域分離処理部６の処理結果に基づく画像処理,下地除去処理を行うことが可能であり、これら処理の効果は画像表示装置１０４に表示されるプレビュー画像にも反映される。
【０１２９】
〔実施の形態２〕
本実施形態は、画像形成装置において行われる出力処理の対象となる出力画像を、当該出力処理の前にプレビュー表示するのみならず、出力画像に施される画像処理のうち、プレビュー表示される出力画像からでは利用者が認識することのできない画像処理の内容を利用者に通知するようにしたものである。
【０１３０】
ここで、「出力処理」とは、上記出力画像を印刷する印刷処理の他、上記出力画像をファクシミリにて送信するファクシミリ送信処理、上記出力画像を電子メールに添付して送信する第１送信処理、上記出力画像をユーザに指定されたフォルダへ送信する第２送信処理、上記出力画像を画像形成装置に装着されたＵＳＢメモリに送信する第３送信処理、上記出力画像を所定のファイル形式の画像ファイルに変換して保存するファイリング処理を含む意味である。
【０１３１】
なお、上記印刷処理は、コピアモードの印刷処理、プリントモードの印刷処理、ファクシミリ受信モードの印刷処理の全てを含む意味である。また、ファクシミリ送信処理は、ファクシミリ送信モードの送信処理を意味する。第１送信処理は、イメージ送信モードにおけるscan to e-mailモードの送信処理を意味する。第２送信処理は、イメージ送信モードにおけるscan to ftpモードの送信処理を意味する。第３送信処理は、イメージ送信モードにおけるscan to usbモードの送信処理を意味する。ファイリング処理は、画像ファイリングモードのファイリング処理を意味する。
【０１３２】
以下、本実施の形態について説明する。なお、本実施の形態では、実施の形態１で用いた部材と同一の機能を有する部材には同一の部材番号を付記し、その説明を省略する。
【０１３３】
図１２は、実施の形態２に係る画像形成装置１００ｂの概略構成を示すブロック図である。同図に示すように、画像形成装置１００ｂは、画像処理装置１０２、画像出力装置１０３、画像表示装置（表示装置）１０４の他、表示制御装置（通知部，画像表示制御部）１１０、記憶部１１１を有している。なお、図１２において省略されてはいるが、画像形成装置１００ｂは、実施の形態１の画像形成装置１００と同様、受信装置１０５、送信装置１０６、記憶装置１０７、制御部１０８、メール処理部等を備えている。
【０１３４】
表示制御装置１１０は、画像表示装置１０４の表示動作を制御する制御回路であり、利用者が画像形成装置１００に対して各種コマンドの入力を行うためのＧＵＩや操作ガイドを画像表示装置１０４に表示する制御を行うものである。
【０１３５】
記憶部１１１は、画像処理装置１０２にて実行可能な画像処理のうち、プレビュー表示される出力画像からでは利用者が認識できない画像処理を特定した特定情報を保存（登録）する記憶領域である。なお、記憶部１１１は、ハードディスクであってもよいし、ＲＯＭ（Read Only Memory）であってもよい。
【０１３６】
ここで、特定情報は、プレビュー表示される出力画像からでは利用者が認識できない画像処理の名称または種類を示した第１識別情報を列挙したテーブルである。例えば、プレビュー表示される出力画像からでは利用者が認識できない画像処理の種類としてカラーバランス調整とシャープネス調整がある場合、「カラーバランス調整」の名称と「シャープネス調整」の名称とが列挙されたテーブルが前記特定情報に該当する。
【０１３７】
以上の画像形成装置１００ｂにおいて、利用者がプレビュー確認コマンドを入力すると、プレビュー表示用の画像データ（Ｒ’Ｇ’Ｂ’の画像データ）が画像処理装置１０２から表示制御装置１１０に送られ、表示制御装置１１０は、この画像データに基づいて、出力画像を画像表示装置１０４にプレビュー表示するようになっている。
【０１３８】
この点について以下具体的に説明する。例えば、コピアモードにおいて原稿のスキャン終了後且つ印刷前の状態である場合、表示制御装置１１０は、図１４に示される初期画像を画像表示装置１０４に表示している。ここで、利用者が、図１４の参照符７０に示されるプレビュー確認ボタンを押すことによってプレビュー確認コマンドを入力すると、表示制御装置１１０は、出力画像がプレビューとして示されているプレビュー確認画像（図１５参照）を表示するようになっている。なお、図１５に示すプレビュー確認画像においては参照符７１に示される領域に出力画像がプレビューとして示されている。
【０１３９】
また、本実施形態では、プレビュー表示中、利用者が設定確認コマンドを入力すると、表示制御装置１１０は、出力対象となる画像に施される画像処理の内容のうち、プレビュー表示される出力画像からでは利用者が認識することのできない処理内容を示した設定確認画像を画像表示装置１０４に表示するようになっている。
【０１４０】
この点について具体的に説明すると、図１５に示されているプレビュー確認画像が表示されている時、利用者が図１５の参照符７２に示される設定確認ボタンを押すことによって設定確認コマンドを入力すると、表示制御装置１１０は、図１８に示される設定確認画像を表示するようになっている。図１８に示される設定確認画像においては、プレビュー表示される出力画像からでは利用者が認識することのできない処理内容として、「原稿種別モード」「カラーバランス調整」「シャープネス調整」が示されている。
【０１４１】
より詳細に説明すると、表示制御装置１１０は、出力処理（印刷等）が実行される際に出力画像に施される予定の画像処理（利用者に設定されている画像処理または初期設定されている画像処理）の名称または種類を示す第２識別情報を画像処理装置１０２から取得する。そして、表示制御装置１１０は、画像処理装置１０２から取得した第２識別情報と記憶部１１１に保存されている特定情報（第１識別情報を列挙したテーブル）とを対比することにより、出力処理（印刷等）が実行される際に出力画像に施される予定の画像処理のなかから、プレビュー表示される画像からでは利用者が認識できない画像処理を選択する。そして、表示制御装置１１０は、選択した画像処理の処理内容を示した設定確認画像（図１８参照）を画像表示装置１０４に表示するようになっている。
【０１４２】
図１８のような設定確認画像が画像表示装置１０４に表示されることにより、利用者は、出力画像に施される画像処理の内容のうち、プレビュー表示される出力画像からでは認識することのできない処理内容を確認できる。それゆえ、出力画像を出力前に利用者にプレビュー表示しても、出力画像に施される処理内容や出力画像の画質を利用者に誤解させないようにすることが可能となる。
【０１４３】
つぎに、表示制御装置１１０の処理の流れを図１７のフローチャートに基づいて説明する。なお、図１７のフローチャートのスタート時点では、画像形成装置１００ｂはコピアモードにおいて原稿のスキャン終了後且つ印刷前の状態であり、画像表示装置１０４には図１４の初期画像が表示されているものとする。
【０１４４】
図１４の初期画像のプレビュー確認ボタン７０が押されると（Ｓ３１にてＹＥＳ）、表示制御装置１１０は、図１５に示すプレビュー確認画像を画像表示装置１０４に表示する（Ｓ３２）。これに対し、図１４の初期画像が表示されている状態において、操作パネルに設けられているスタートキー（不図示）が押されると（Ｓ３１にてＮＯ，Ｓ３８にてＹＥＳ）、画像出力装置１０３にて印刷が行われ（Ｓ３７）、コピアモードの処理が終了する。
【０１４５】
そして、図１５のプレビュー確認画像が画像表示装置１０４に表示されている状態において、図１５の設定確認ボタン７２が押されると（Ｓ３３にてＮＯ，Ｓ３４にてＹＥＳ）、表示制御装置１１０は、図１８の設定確認画像を画像表示装置１０４に表示する（Ｓ３５）。
【０１４６】
つぎに、図１８の設定確認画像が画像表示装置１０４に表示されている状態において、図１８のＯＫボタン７４が押されると（Ｓ３６にてＹＥＳ）、表示制御装置１１０は、図１８の設定確認画像の表示を終了し、図１５のプレビュー確認画像を画像表示装置１０４に再び表示する。そして、図１５のプレビュー確認画像が画像表示装置１０４に表示されている状態において、図１５のコピーボタン７３が押されると（Ｓ３３にてＹＥＳ）、画像出力装置１０３にて印刷が行われ（Ｓ３７）、コピアモードの処理が終了する。なお、図１８に示される設定確認画像の表示を不要と考える利用者は、図１５のプレビュー確認画像の表示後、図１５の設定確認ボタン７２を押すことなく、そのまま図１５のコピーボタン７３を押せばよい（Ｓ３３にてＹＥＳ）。
【０１４７】
なお、図１７において省略しているが、図１５のプレビュー確認画像または図１８の設定確認画像の表示中であっても、操作パネルにおけるスタートキー（不図示）が押されると、印刷が行われ、コピアモードの処理が終了する。
【０１４８】
以上のように、本実施形態の表示制御装置１１０は、上記出力画像に対して施される画像処理のうち、上記プレビュー表示される出力画像からでは利用者が認識することのできない処理内容を示した設定確認画像（処理内容画像）を画像表示装置１０４に表示する画像表示制御部としての機能を有している。換言すると、表示制御装置１１０は、上記出力画像に対して施される画像処理のうち、上記プレビュー表示される出力画像からでは利用者が認識することのできない処理内容を利用者に通知する通知部としての機能を有している。それゆえ、出力画像に施される処理内容や上記出力処理後の出力画像の画質を利用者に誤解させないようにできる。
【０１４９】
また、本実施形態の表示制御装置１１０は、図１５に示すように、上記出力画像のプレビューと設定確認画像の表示コマンドを入力するための設定確認ボタン（入力ボタン）７２とを画像表示装置１０４に同時に表示している。そして、表示制御装置１１０は、設定確認ボタン７２が押されることによって上記表示コマンドが入力されたことを検知すると、図１８の設定確認画像を画像表示装置１０４に表示している。それゆえ、利用者の要求に応じて設定確認画像の表示の有無を切り換えることができ、設定確認画像の表示を不要と考える利用者にも適応可能な装置とすることができる。
【０１５０】
つぎに、出力画像に施される画像処理の内容のうち、プレビュー表示される出力画像からでは利用者が認識することのできない処理内容について、具体例を下記の（ａ）〜（ｆ）に列挙して詳細に説明する。なお、上記の処理内容には、プレビュー表示用の画像データに対して反映できない第１処理内容と、プレビュー表示用の画像データに対して反映可能ではあるが効果の識別が困難な第２処理内容とがある。
【０１５１】
（ａ）カラーバランス調整
カラーバランス調整とは、出力画像の濃度を色成分毎に調整する処理、具体的にはＣＭＹＫの内の利用者に選択された色の濃度を調整する処理を意味する。例えば、図１３に示されるように、濃度レンジを４つのレンジ（濃度１〜濃度４）に分け、各レンジの濃度を８段階に調整可能とする。つまり、利用者は、濃度調整対象とする色と濃度レンジとを選択し、選択された濃度レンジの８段階の値の中からいずれかの値を選択する。なお、カラーバランス調整は、画質調整部１１または出力階調補正部１７のいずれかで行われる。
【０１５２】
以上のカラーバランス調整ではＣＭＹＫの濃度が調整されるのに対し、プレビュー表示はＲ´Ｇ´Ｂ´の画像データに基づいて行われるため、当該カラーバランス調整をプレビュー表示用の画像データに反映できない。それゆえ、カラーバランス調整は、プレビュー表示用の画像データに対して反映できない第１処理内容となる。
【０１５３】
（ｂ）フォーマット処理
フォーマット処理とは、出力画像を所定のファイル形式の画像ファイルに変換する処理、具体的には画像処理装置１０２に入力されたＲＧＢの画像データを利用者によって選択されたファイル形式の画像ファイルに変換する処理を意味する。なお、フォーマット処理は、圧縮部７にて実行されるものである。また、変換可能なファイル形式としては、ＪＰＥＧ，ＰＤＦ，ＴＩＦＦ，高圧縮ＰＤＦ，暗号化ＰＤＦ，ＸＰＳ等がある。
【０１５４】
フォーマットの差分は表示画像に反映されない。つまり、フォーマット処理はプレビュー表示用の画像データに対して反映できない第１処理内容となる。そして、利用者からすれば、フォーマット名を示す識別情報等の表示が無い限り、プレビュー表示されている画像にのみからでは当該画像のフォーマット名を判別することは困難である。
【０１５５】
なお、上記の高圧縮ＰＤＦとは、領域分離信号に基づいて、画像データを前景レイヤー（文字・線画領域）と背景レイヤー（文字・線画以外の領域）とに区分し、夫々に適した圧縮技術を用いて前景レイヤーと背景レイヤーとを圧縮する手法である。この高圧縮ＰＤＦの手法は、例えば、本願出願人による未公開先行出願（本件出願時において未公開）である特願２００８−１６４９１５に詳述されている。
【０１５６】
（ｃ）原稿種別処理モード
原稿種別処理モードとは、原稿種別に応じて出力画像に対して施される画像処理を切り換える事を意味し、原稿種別には、印刷写真，文字印刷写真、印画紙写真等がある。
【０１５７】
原稿種別処理モードが利用者に選択された場合、利用者に選択された原稿種別または原稿種別自動判別部５にて判別された原稿種別に応じた処理が行われる。そして、原稿種別モードにて出力画像の処理が行われる場合、画像表示装置１０４の画面サイズが比較的大きければ問題はないが、画像表示装置１０４の画面サイズが小さければ、画像データを大幅に間引く関係上、出力後（印刷等の後）の画像と表示画像との間でモアレの発生度合いが異なってくる。それゆえ、原稿種別処理モードは、プレビュー表示用の画像データに対して反映可能ではあるが効果の識別が困難な第２処理内容に該当するといえる。
【０１５８】
なお、原稿が印刷写真（網点写真）の場合、例えば、網点領域に対する階調性を重視した色補正処理や黒生成下色除去処理を行うとともにモアレ抑制のための平滑化処理が行われる。また、原稿が印画紙写真（連続階調写真）の場合、例えば、連続階調領域に対する階調性を重視した色補正処理や黒生成下色除去処理が行われる。また文字印刷写真原稿（網点写真と文字とが混在）では、領域分離処理により文字部分と写真部分に分離し、文字部分では解像度を重視した強調フィルタ処理、写真部分では印刷写真原稿と同様の階調性優先の色補正処理や黒生成下色除去処理が行われる。
【０１５９】
なお、原稿種別処理モードが利用者に選択された場合、図１８に示されるように、設定されている原稿種別名を画像表示装置１０４に表示し、当該原稿種別名を利用者が確認できるようにしてもよい。
【０１６０】
（ｄ）シャープネス調整処理
シャープネス調整処理とは、上記出力画像に対して施されるシャープネス処理（鮮鋭化処理）、または、ぼかし処理（強調平滑化処理）を意味する。本実施形態では、空間フィルタ部１５において実行される処理である。具体的には、空間フィルタ部１５は、利用者に選択される設定内容に応じて、領域分離信号に基づいて選択される処理内容を切り替えるようになっている。例えば、利用者が「ソフト」を選択すると、強調平滑化処理（混合フィルタ）が行われ、利用者が「シャープネス」を選択すると、鮮鋭化処理（シャープフィルタ）が行われる。
【０１６１】
プレビュー表示用の画像データは、大幅に間引かれるため、空間フィルタ部１５にて鮮鋭化処理が行われると画像の細線が途切れてしまい、画像のメリハリ感が逆になくなってしまい、印刷後の画像とは逆の効果が生じることになる。それゆえ、上記シャープネス調整処理は、プレビュー表示用の画像データに対して反映可能ではあるが効果の識別が困難な第２処理内容に該当するといえる。
【０１６２】
（ｅ）解像度変換
解像度変換とは、上記出力画像の解像度を変換する処理である。具体的には、解像度変換とは、ファクシミリ送信モードまたはイメージ送信モードでの送信処理時に、画像データの解像度を入力解像度（スキャナの解像度）から送信解像度に変換する処理である。なお、送信解像度は、利用者によって設定される値であるが、利用者による設定がなければ自動的にデフォルト値に設定される。
【０１６３】
プレビュー表示に用いられる画像データは、画像表示装置１０４の表示画面のサイズに応じて解像度変換されるため（例えば６００ｄｐｉ→７５ｄｐｉ）、送信解像度とは異なる解像度に変換される。それゆえ、上記解像度変換は、プレビュー表示用の画像データに対して反映可能ではあるが効果の識別が困難な第２処理内容に該当するといえる。
【０１６４】
（ｆ）圧縮処理
圧縮処理とは、上記出力画像を圧縮する処理である。本実施形態では、（ｂ）のフォーマット処理において利用者がＪＰＥＧ形式を選択した場合に、利用者に選択された圧縮率にて画像圧縮が行われることとなる。なお、利用者は、高圧率，中圧縮率，低圧縮率のいずれかのなかから、所望の圧縮率を選択する。
【０１６５】
画像データを圧縮すると、圧縮率が高いほど画像にノイズが発生し易くなる。しかし、プレビュー表示に用いられる画像データには間引き処理がなされるため、プレビュー表示される画像においては上記ノイズが視認できなくなり、表示画像のみからでは、特に高圧縮時の判別が困難になる。それゆえ、上記圧縮処理は、プレビュー表示用の画像データに対して反映可能ではあるが効果の識別が困難な第２処理内容に該当するといえる。
【０１６６】
なお、図１６は、イメージ送信モードにおける設定確認画像であり、上記した原稿種別処理モード，カラーバランス調整，シャープネス調整，フォーマット処理，圧縮処理，解像度変換を利用者に示している。また、図１６に示されている各項目のうち、原稿種別判別モード，圧縮処理，解像度については、利用者が処理内容（値）を選択しない場合は、デフォルトの処理内容（値）が表示される。
【０１６７】
また、本実施形態では、出力画像のプレビューと設定確認画像とを利用者に別々に示すようにしているが、出力画像のプレビューと設定確認画像とを同時に表示してもよい。この場合、利用者からすれば、プレビュー表示される出力画像と、プレビュー表示される出力画像からでは利用者が認識することのできない処理内容とを同時に視認できるため、出力処理後の画像の画質の推測を容易に行える。
【０１６８】
なお、本実施形態の表示制御装置１１０は、図１２に示すように、画像処理装置１０２および画像表示装置１０４とは別体に構成されているが、画像処理装置１０２内に備えられていてもよいし、画像表示装置１０４内に備えられていてもよい。
【０１６９】
また、本実施形態では、表示制御装置１１０は、プレビュー表示される出力画像からでは利用者が認識できない画像処理の処理内容を、画像によって利用者に通知しているが、例えば音声ガイダンスによって利用者に通知するようにしてもよい。
【０１７０】
また、本実施形態の表示制御装置１１０はコンピュータであってもよい。この場合、本実施形態は、コンピュータに実行させるためのプログラムコード（実行形式プログラム、中間コードプログラム、ソースプログラム）を記録したコンピュータ読み取り可能な記録媒体に、表示制御装置１１０において実行される処理内容を記録するものとすることもできる。この結果、当該プログラムを記録した記録媒体を持ち運び自在に提供することができる。
【０１７１】
なお、本実施の形態では、この記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１７２】
いずれの場合においても、格納されているプログラムコードはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１７３】
ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であっても良い。
【０１７４】
また、本実施の形態においては、インターネットを含む通信ネットワークを接続可能なシステム構成であることから、通信ネットワークからプログラムコードをダウンロードするように流動的にプログラムコードを担持する媒体であっても良い。なお、このように通信ネットワークからプログラムコードをダウンロードする場合には、そのダウンロード用のプログラムは予め本体装置に格納しておくか、あるいは別な記録媒体からインストールされるものであっても良い。なお、本発明は、上記プログラムコードが電子的な伝送で具現化された、搬送波に埋め込まれたコンピュータデータ信号の形態でも実現され得る。上記記録媒体は、デジタルカラー画像形成装置やコンピュータシステムに備えられるプログラム読み取り装置により読み取られることで上述した画像処理方法が実行される。
【０１７５】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１７６】
本発明の表示制御装置は出力画像のプレビューを表示する表示装置に用いられる。なお、当該表示装置は、複合機、複写機、プリンタ、ファクシミリ装置等に備えられているものが特に好適である。
【図面の簡単な説明】
【０１７７】
【図１】実施の形態１の画像形成装置を示したブロック図であり、コピアモード且つフルカラーモードにて印刷処理を行う際の画像データの流れを示したブロック図である。
【図２】（ａ）は、コピアモード且つシングルカラーモードにて印刷処理が行われる際の画像処理装置内の一部を示したブロック図であり、（ｂ）は、コピアモード且つ２色カラーモードにて印刷処理が行われる際の画像処理装置内の一部を示したブロック図である。
【図３】実施の形態１の画像形成装置を示したブロック図であり、コピアモード且つフルカラーモードにてプレビュー表示処理を行う際の画像データの流れを示したブロック図である。
【図４】（ａ）は、コピアモード且つシングルカラーモードにてプレビュー表示が行われる際の画像処理装置内の一部を示したブロック図であり、（ｂ）は、コピアモード且つ２色カラーモードにてプレビュー表示が行われる際の画像処理装置内の一部を示したブロック図である。
【図５】（ａ）は、画像表示装置の表示特性に応じたガンマ曲線の一例を示した図である。（ｂ）は、文字をくっきりと表示させるためのガンマ曲線を実線で示し、画像表示装置の表示特性に応じたガンマ曲線を破線で示した図である。
【図６】コピアモード且つフルカラーモードが選択されている場合の画像形成装置の処理手順を示したフローチャートである。
【図７】実施の形態１の画像形成装置を示したブロック図であり、ファクシミリ送信モードにて送信処理を行う際の画像データの流れを示した図である。
【図８】実施の形態１の画像形成装置を示したブロック図であり、ファクシミリ送信モードにてプレビュー表示処理を行う際の画像データの流れを示した図である。
【図９】実施の形態１の画像形成装置を示したブロック図であり、ファクシミリ受信モードにて印刷処理を行う際の画像データの流れを示した図である。
【図１０】実施の形態１の画像形成装置を示したブロック図であり、ファクシミリ受信モードにてプレビュー表示処理を行う際の画像データの流れを示した図である。
【図１１】実施の形態１に係る画像形成装置の変形例を示したブロック図である。
【図１２】実施の形態２に係る画像形成装置の概略構成を示したブロック図である。
【図１３】カラーバランス調整を説明するための図である。
【図１４】実施の形態２に係る画像表示装置に表示される初期画像の一例を示した図である。
【図１５】実施の形態２に係る画像表示装置に表示されるプレビュー確認画像の一例を示した図である。
【図１６】実施の形態２のイメージ送信モードにおいて画像表示装置に表示される設定確認画像の一例を示した図である。
【図１７】実施の形態２に係る表示制御装置の処理の流れを示したフローチャートである。
【図１８】実施の形態２のコピアモードにおいて画像表示装置に表示される設定確認画像の一例を示した図である。
【符号の説明】
【０１７８】
７２    設定確認ボタン（入力ボタン）
１００ｂ  画像形成装置
１０２    画像処理装置
１０３    画像出力装置
１０４    画像表示装置（表示装置）
１１０    表示制御装置（画像表示制御部，通知部）
１１１    記憶部
【図１】
2010056802.tif 000005
【図２】
2010056802.tif 000006
【図３】
2010056802.tif 000007
【図４】
2010056802.tif 000008
【図５】
2010056802.tif 000009
【図６】
2010056802.tif 000010
【図７】
2010056802.tif 000011
【図８】
2010056802.tif 000012
【図９】
2010056802.tif 000013
【図１０】
2010056802.tif 000014
【図１１】
2010056802.tif 000015
【図１２】
2010056802.tif 000016
【図１３】
2010056802.tif 000017
【図１４】
2010056802.tif 000018
【図１５】
2010056802.tif 000019
【図１６】
2010056802.tif 000020
【図１７】
2010056802.tif 000021
【図１８】
2010056802.tif 000022